(57)【要約】【課題】  障害物の有無にかかわらずリモコンで電気機器を操作することができ、しかも構成が簡素な電気機器遠隔操作システムを提供する。【解決手段】  このシステムは、複数の電気機器と、電気機器のコマンド情報を一括管理している管理サーバと、１つのリモコンとから構成される。リモコンは方向検出装置を備え、リモコンの先端部を向けた任意の方向と各電気機器とを対応させた機器選択テーブルを、管理サーバに登録しておく。ユーザがリモコンを所定の方向に向けると、方向検出装置がリモコンの方向を検出し、操作する電気機器が機器選択テーブルにしたがって選択される。【選択図】  図１
2006279424.tif 000002
【特許請求の範囲】
【請求項１】
複数の電気機器と、前記複数の電気機器を遠隔操作するためのコマンド情報を一括管理する制御装置と、前記コマンド情報に基づいて前記複数の電気機器を遠隔操作する遠隔操作装置とから構成される電気機器遠隔操作システムにおいて、
前記遠隔操作装置は、
自己の所定部位が向けられた方向を検出し、これを方向情報として出力する方向検出手段と、
前記方向情報を前記制御装置へ送信する第１の送信手段と、
前記制御装置からコマンド情報を受けてメモリに書き込む書込手段と、
前記メモリ内のコマンド情報を読み出して前記電気機器を遠隔操作する遠隔操作手段と、
を具備し、
前記制御装置は、
前記複数の電気機器を遠隔操作するためのコマンド情報を記憶する第１の記憶手段と、
前記複数の電気機器と前記方向情報との対応を記憶する第２の記憶手段と、
前記遠隔操作装置から方向情報を受信して、該方向情報に対応する電気機器を前記第２の記憶手段内のデータから検索し、検索した電気機器のコマンド情報を前記第１の記憶手段から読み出して前記遠隔操作装置へ送信する手段と、
を具備することを特徴とする電気機器遠隔操作システム。
【請求項２】
前記電気機器は、前記コマンド情報を前記制御装置へ送信する送信手段を具備し、
前記制御装置は、前記電気機器からコマンド情報を受信して、前記第１の記憶手段へ書き込む第１の書込手段を具備することを特徴とする請求項１に記載の電気機器遠隔操作システム。
【請求項３】
前記遠隔操作装置は、前記電気機器と前記方向情報との対応関係を示すデータを前記制御装置へ送信する第２の送信手段を具備し、
前記制御装置は、前記遠隔操作装置から前記対応関係を示すデータを受信し、前記第２の記憶手段へ書き込む第２の書込手段を具備することを特徴とする請求項１又は請求項２に記載の電気機器遠隔操作システム。
【請求項４】
前記方向検出手段は、地磁気の強さを検出する磁気センサによって構成されていることを特徴とする請求項１から請求項３の何れかの項に記載の電気機器遠隔操作システム。
【発明の詳細な説明】
【技術分野】
【０００１】
本発明は、複数の電気機器を１つのリモートコントロール装置（以下、リモコンと称す）で簡便な方法により遠隔操作する、電気機器遠隔操作システムに関する。
【背景技術】
【０００２】
テレビ、ＤＶＤ（Ｄｉｇｉｔａｌ  Ｖｅｒｓａｔｉｌｅ  Ｄｉｓｋ）レコーダ等の複数の電気機器を操作することが可能なリモコンは、従来から日常的に広く使われている。しかし、通常このようなリモコンは、操作できる機器があらかじめ設定されたものに限定されているため、例えばテレビとＤＶＤレコーダのみに対応したリモコンで、エアコン等他の電気機器を操作することはできない。
そこで、任意の電気機器を１つのリモコンで操作できるようにするため、特許文献１や特許文献２のようなシステムが開発されている。
特許文献１のシステムによれば、電気機器を操作するためのコマンド情報は管理サーバに記憶されており、管理サーバとリモコンはネットワーク接続されている。そして、必要に応じ、コマンド情報が管理サーバからリモコンにネットワーク経由でダウンロードされ、ダウンロードされたコマンド情報に基づいて、リモコンから任意の電気機器の操作が可能になる。
また、特許文献２のシステムによれば、リモコンの位置と方向は、リモコン内蔵の位置検出手段と方向検出手段により把握され、一方、電気機器の配置は、各電気機器内蔵のＩＣタグと部屋の壁に埋設したＩＣタグセンサにより把握される。そして、ユーザがリモコンを所望の電気機器に向けることによって、電気機器の配置とリモコンの位置及び方向とから、操作する電気機器を選択するようにしている。
【特許文献１】特開２００５−３３６８５号公報
【特許文献２】特開２００５−３３２６３号公報
【発明の開示】
【発明が解決しようとする課題】
【０００３】
しかしながら、特許文献１に開示されたシステムにおいては、リモコンの赤外線送信部を所望の電気機器に向け、赤外線通信で所定の識別信号を送信することによって、リモコンで操作する電気機器の選択を行って管理サーバからコマンド情報をダウンロードしているため、赤外線の届かない範囲、すなわち、障害物等によって遮られた場所に配置された電気機器を選択してその電気機器のコマンド情報をダウンロードすることができず、結局このシステムではこのような電気機器をリモコンで操作することは不可能である、という問題があった。
また、特許文献２に開示されたシステムにおいては、リモコンに位置検出手段を搭載し、かつ部屋の壁にＩＣタグセンサを設置する必要があり、システムの構成が複雑になるという問題があった。
この発明は、上記の点に鑑みてなされたものであり、その目的は、障害物の有無にかかわらずリモコンで電気機器を操作することができ、しかも構成が簡素な電気機器遠隔操作システムを提供することにある。
【課題を解決するための手段】
【０００４】
この発明は、上記の課題を解決するためになされたものであり、請求項１に記載の発明は、複数の電気機器と、前記複数の電気機器を遠隔操作するためのコマンド情報を一括管理する制御装置と、前記コマンド情報に基づいて前記複数の電気機器を遠隔操作する遠隔操作装置とから構成される電気機器遠隔操作システムにおいて、前記遠隔操作装置は、自己の所定部位が向けられた方向を検出し、これを方向情報として出力する方向検出手段と、前記方向情報を前記制御装置へ送信する第１の送信手段と、前記制御装置からコマンド情報を受けてメモリに書き込む書込手段と、前記メモリ内のコマンド情報を読み出して前記電気機器を遠隔操作する遠隔操作手段と、を具備し、前記制御装置は、前記複数の電気機器を遠隔操作するためのコマンド情報を記憶する第１の記憶手段と、前記複数の電気機器と前記方向情報との対応を記憶する第２の記憶手段と、前記遠隔操作装置から方向情報を受信して、該方向情報に対応する電気機器を前記第２の記憶手段内のデータから検索し、検索した電気機器のコマンド情報を前記第１の記憶手段から読み出して前記遠隔操作装置へ送信する手段と、を具備することを特徴とする電気機器遠隔操作システムである。
【０００５】
請求項２に記載の発明は、請求項１に記載の電気機器遠隔操作システムにおいて、前記電気機器は、前記コマンド情報を前記制御装置へ送信する送信手段を具備し、前記制御装置は、前記電気機器からコマンド情報を受信して、前記第１の記憶手段へ書き込む第１の書込手段を具備することを特徴とする。
【０００６】
請求項３に記載の発明は、請求項１又は請求項２に記載の電気機器遠隔操作システムにおいて、前記遠隔操作装置は、前記電気機器と前記方向情報との対応関係を示すデータを前記制御装置へ送信する第２の送信手段を具備し、前記制御装置は、前記遠隔操作装置から前記対応関係を示すデータを受信し、前記第２の記憶手段へ書き込む第２の書込手段を具備することを特徴とする。
【０００７】
請求項４に記載の発明は、請求項１から請求項３の何れかの項に記載の電気機器遠隔操作システムにおいて、前記方向検出手段は、地磁気の強さを検出する磁気センサによって構成されていることを特徴とする。
【発明の効果】
【０００８】
この発明によれば、リモコンの所定部位、例えば先端部が向いている方向を検出して、その情報を基に操作する電気機器を選択するようにしたので、障害物に遮られた場所に配置された電気機器であっても、管理サーバからコマンド情報をダウンロードし、リモコンから操作することが可能となる。このため、このような電気機器遠隔操作システムの使用可能範囲が広がり、対応する電気機器の種類も従来と比べて格段に増やすことができるようになる。また、この発明によれば、リモコンの位置及び電気機器の配置を検出するハードウェアが不要であるため、システムの構成を簡素化することが可能である。
【発明を実施するための最良の形態】
【０００９】
以下、図面を参照し、この発明の実施の形態について説明する。
図１は、この発明の一実施の形態による電気機器遠隔操作システムの構成を示すブロック図である。この電気機器遠隔操作システムは、一定のエリアに配置されたテレビ１０１とＤＶＤレコーダ１０２とエアコン１０３と、電気機器を遠隔操作するための各機器固有のコマンド情報を一括して管理しており、これらの電気機器と有線ＬＡＮ（Ｌｏｃａｌ  Ａｒｅａ  Ｎｅｔｗｏｒｋ）１４１を介して接続されている管理サーバ（制御手段）１１１と、管理サーバ１１１と無線ＬＡＮにより接続され、電気機器の遠隔操作を行う携帯電話端末（遠隔操作手段）１２１とから構成される。
【００１０】
図２は、管理サーバ１１１の構成を示すブロック図である。この図において、２０１はＣＰＵ（中央演算装置）、２０２はＣＰＵ２０１のプログラムが記憶されたＲＯＭ（リードオンリメモリ）、２０３はデータ一時記憶用のＲＡＭ（ランダムアクセスメモリ）、２１１は有線ＬＡＮインタフェース、２１２は無線ＬＡＮインタフェース、２２１は不揮発性メモリである。
【００１１】
有線ＬＡＮインタフェース２１１は、有線ＬＡＮ１４１に接続され、テレビ１０１、ＤＶＤレコーダ１０２及びエアコン１０３とデータの送受信を行う。
無線ＬＡＮインタフェース２１２は、携帯電話端末１２１と短距離無線通信によってデータの送受信を行う。
【００１２】
不揮発性メモリ２２１は、電気機器１０１〜１０３各々の固有なコマンド情報を記憶する記憶領域２２１−１と、携帯電話端末１２１の方向と各電気機器とを一対一に対応付けた機器選択テーブルを記憶する記憶領域２２１−２とを有している。
記憶領域２２１−１は、管理サーバを購入した時点であらかじめ代表的な電気機器のコマンド情報を記憶（プリセット）しており、また、新しい電気機器がこの電気機器遠隔操作システムに組み込まれた場合、その電気機器のコマンド情報がまだ記憶領域２２１−１に記憶されていないときは、その電気機器からコマンド情報を取得して記憶する。
【００１３】
図３は、記憶領域２２１−２に記憶された機器選択テーブルの一例である。この例では、テレビは「方位４５度」、ＤＶＤレコーダは「方位１３５度」、エアコンは「方位２２５度」、と定義されている。この機器選択テーブルは、携帯電話端末１２１をどちらの方向に向けるとどの電気機器が選択されるかを、ユーザがあらかじめ自由に定義しておくものである。ここで、「方位何々度」は、真北を「方位０度」として時計回りに測った方位を意味する。
【００１４】
図４は、携帯電話端末１２１の構成を示すブロック図である。この携帯電話端末１２１は、端末ユニット１２１−１、１２１−２の２つの筐体を備えた、折り畳み式の携帯電話端末である。この図において、４６１は主制御部、４６２は主制御部４６１のプログラムが記憶されたＲＯＭ、４６３はデータ一時記憶用のＲＡＭである。
【００１５】
無線部４２０は、携帯電話の通話のための信号処理を行う回路であり、ＲＦ（Ｒａｄｉｏ  Ｆｒｅｑｕｅｎｃｙ）部４２２、変復調部４２３、ＣＤＭＡ（Ｃｏｄｅ  Ｄｉｖｉｓｉｏｎ  Ｍｕｌｔｉｐｌｅ  Ａｃｃｅｓｓ：符号分割多重接続）部４２４から構成される。アンテナ４２１は、無線基地局（図示していない）との間の電波信号の送受信を行うものである。
【００１６】
ＲＦ部４２２は、アンテナ４２１が受信する受信信号を中間周波数の受信信号に変換して変復調部４２３へ出力するものである。さらにこのＲＦ部４２２は、変復調部４２３から入力する送信信号を送信周波数の信号に変調し、アンテナ４２１へ出力するものである。
【００１７】
変復調部４２３は、ＲＦ部４２２から入力した受信信号の復調処理と、ＣＤＭＡ部４２４から入力した送信信号の変調処理とを行うものである。ＣＤＭＡ部４２４は、送信信号の符号化処理及び受信信号の復号化処理を行うものである。音声処理部４２５は、マイクロホン４３１から入力される音声信号をデジタル信号に変換してＣＤＭＡ部４２４へ出力し、また、ＣＤＭＡ部４２４から入力されるデジタルの音声信号をアナログの音声信号に変換し、スピーカ４３２へ出力して発音させるものである。
無線ＬＡＮインタフェース４７１は、管理サーバ１１１との間で短距離無線通信によって各種データの通信を行うものである。
【００１８】
方向検出装置４５０は、磁気センサ４５１−１〜４５１−３、温度センサ４５２及び磁気センサ制御部４５３を備えたものであり、携帯電話端末１２１の先端部がどちらの方向を向いているかを検出するものである。磁気センサ４５１−１〜４５１−３は、互いに直交するＸ、Ｙ、Ｚ軸の各々の軸方向の磁気（磁界）を検出し、磁界データとして出力するものである。温度センサ４５２は、磁気センサ４５１−１〜４５１−３の温度補償を行うために温度を検出するものである。磁気センサ制御部４５３は、磁気センサ４５１−１〜４５１−３の検出出力に対して所定のデータ処理を行いバスラインＢへ出力するものである。
【００１９】
報知手段４３３は、スピーカ、バイブレータ、発光ダイオード等を備え、着信やメール受信等を音、振動、光等によってユーザに報知するものである。時計部４３４は、主制御部４６１が使用する計時機能部である。主操作部４３５は、ユーザの指示入力を取り込んで主制御部４６１に出力するものである。
【００２０】
電子撮像部４３６は、被写体の像をデジタル信号に変換して主制御部４６１へ出力するものである。表示部４３７は、主制御部４６１から入力される表示用の信号に基づいて画像や文字等を表示する液晶ディスプレイである。また、表示部４３７は、電気機器の各操作コマンドと主操作部４３５又はタッチパネル４３８の操作方法（どのボタンを押下するか等）との対応関係を表示するためのものである。タッチパネル４３８は、表示部４３７の液晶ディスプレイの表面に組み込まれ、ユーザの接触操作による入力内容を表す信号を主制御部４６１へ出力するものである。副操作部４３９は、表示切り替えに用いられるプッシュスイッチである。
【００２１】
図５は、テレビ１０１の構成を示すブロック図である。この図において、５０１は制御部、５０２はテレビ１０１のコマンド情報が記憶されている不揮発性メモリ、５０３は管理サーバ１１１と所定のデータの通信を行う有線ＬＡＮインタフェース、５１１は本来のテレビ機能部である。
【００２２】
次に、上述した電気機器遠隔操作システムの動作を図６に示すフローチャートを参照して説明する。
まず、ユーザが管理サーバ１１１と携帯電話端末１２１の電源スイッチをオンにして、この電気機器遠隔操作システムを起動させる。すると、管理サーバ１１１は、有線ＬＡＮ１４１に接続されている電気機器１０１〜１０３にステータス要求を行い、テレビ１０１、ＤＶＤレコーダ１０２、及びエアコン１０３がシステムによりコントロール可能であることを把握する（ステップＳ６０１）。また、携帯電話端末１２１は、方向検出装置４５０を作動させて、リモコン先端部が向いている方向の検出を開始する（ステップＳ６２１）。
【００２３】
続いて、管理サーバ１１１は、不揮発性メモリ２２１の記憶領域２２１−２に機器選択テーブルがすでに登録されているかチェックする（ステップＳ６１１）。機器選択テーブルがすでに登録されている場合は、ステップＳ６１４に進む。機器選択テーブルがまだ登録されていない場合は、管理サーバ１１１は、テレビ、ＤＶＤレコーダ、及びエアコンの機器識別番号を携帯電話端末１２１に送信し、機器選択テーブルの登録要求を行う（ステップＳ６１２）。この要求を受けた携帯電話端末１２１は、テーブル登録モードに移行して、表示部４３７に、「機器選択テーブルが登録されていません。次の機器の登録を行ってください。（１）＃＃＃＃（テレビの機種名）  （２）＃＃＃＃（ＤＶＤレコーダの機種名）  （３）＃＃＃＃（エアコンの機種名）」という表示を行うとともに、主操作部４３５に、テレビ、ＤＶＤレコーダ、及びエアコンの選択ボタンを割り当てる（ステップＳ６２２）。
【００２４】
ここで、この電気機器遠隔操作システムが設置されている部屋は、壁面Ａ、Ｂ、Ｃ、Ｄから構成される長方形の部屋であるとし、壁面Ａは北東向き、壁面Ｂは南東向き、壁面Ｃは南西向き、壁面Ｄは北西向き、であるとする。
次に、ユーザが携帯電話端末１２１を壁面Ａの方向に向け、テレビの選択ボタンを押下する（テレビを「壁面Ａ」に関連付ける）と（ステップＳ６２３）、携帯電話端末１２１の方向検出装置４５０は、その時携帯電話端末１２１の先端部が向けられている方向を検出する。ここで、壁面Ａは北東向きであるから、検出される方向情報は、「方位４５度」である。そして、携帯電話端末１２１は、この方向情報「方位４５度」とテレビの機器識別番号とを、管理サーバ１１１に送信し（ステップＳ６２４）、管理サーバ１１１は、受信したこれらのデータをＲＡＭ２０３に保持する。
引き続いて、ユーザがＤＶＤレコーダとエアコンについても同様の操作（ＤＶＤレコーダを「壁面Ｂ」、エアコンを「壁面Ｃ」に関連付けるものとする）を行うと、方向情報「方位１３５度」とＤＶＤレコーダの機器識別番号、方向情報「方位２２５度」とエアコンの機器識別番号、が管理サーバ１１１のＲＡＭ２０３に保持される。
【００２５】
次に、管理サーバ１１１は、ＲＡＭ２０３に集まったこれらのデータを機器選択テーブルとして不揮発性メモリ２２１の記憶領域２２１−２に記憶する（ステップＳ６１３）。また、携帯電話端末１２１はテーブル登録モードを抜け、通常の操作モードに移る（ステップＳ６２５）。これで、機器選択テーブルの登録操作が完了する。
【００２６】
携帯電話端末１２１が操作モードに移ると、管理サーバ１１１は、機器選択テーブルを携帯電話端末１２１に送信する（ステップＳ６１４）。そして、携帯電話端末１２１は、表示部４３７に案内画面を表示する。この案内画面は、受信した機器選択テーブルのデータにしたがって、円周上にテレビ、ＤＶＤレコーダ、及びエアコンを示す矢印が表示されており、携帯電話端末１２１を動かすと方向検出装置４５０で検出した方向情報を反映して矢印がリアルタイムで円周上を動き、携帯電話端末１２１の先端部が壁面Ａを向いた時にテレビを示す矢印が画面の上部に来るようになっている（壁面Ｂ、Ｃを向いた時はそれぞれＤＶＤレコーダ、エアコンが画面の上部に来る）。
【００２７】
次に、ユーザはテレビ１０１の遠隔操作を開始する。ユーザが携帯電話端末１２１の先端部を壁面Ａに向けて操作開始ボタンを押下すると（ステップＳ６２６）（この時、表示部４３７の案内画面は、テレビを示す矢印が円周の上部に来ている）、携帯電話端末１２１は、その時方向検出装置４５０が検出している方向情報（壁面Ａは北東向きであるから、「方位４５度」の方位情報）を管理サーバ１１１に送信する（ステップＳ６２７）。
【００２８】
管理サーバ１１１は、受信した「方位４５度」の方位情報を検索キーとして不揮発性メモリ２２１の記憶領域２２１−２に記憶されている機器選択テーブルの検索を行い、ユーザが操作対象としてテレビ１０１を選択したと判断する（ステップＳ６１５）。
【００２９】
次に、管理サーバ１１１は、不揮発性メモリ２２１の記憶領域２２１−１を検索し、操作対象であるテレビ１０１のコマンド情報が登録されているかをチェックする（ステップＳ６１６）。テレビ１０１のコマンド情報がすでに登録されている場合は、ステップＳ６１８に進む。まだ登録されていない場合は、テレビ１０１に対しコマンド情報の送信を要求し、送られてくるコマンド情報を不揮発性メモリ２２１の記憶領域２２１−１に記憶する（ステップＳ６１７）。
【００３０】
次に、管理サーバ１１１は、不揮発性メモリ２２１の記憶領域２２１−１に記憶されているテレビ１０１のコマンド情報を携帯電話端末１２１に送信し（ステップＳ６１８）、携帯電話端末１２１は、受信したコマンド情報をＲＡＭ４６３に記憶する。さらに、携帯電話端末１２１は、ＲＡＭ４６３のコマンド情報を読み出し、表示部４３７にテレビ１０１の操作画面を表示する。この操作画面には主操作部４３５の各ボタンが画像データにより表示されており、テレビの各チャンネルがテンキーのそれぞれの数字ボタンに割り当てられている。
【００３１】
次に、具体的なテレビ１０１の操作、例えばチャンネル“１ｃｈ”の選択は次のように行われる（ステップＳ６０２）。ユーザが、主操作部４３５のテンキー“１”を押下すると、携帯電話端末１２１は、ＲＡＭ４６３のコマンド情報のなかから、該当する操作コマンドである“１ｃｈ選択コマンド”を選び出し、管理サーバ１１１に送信する。そして、管理サーバ１１１は、このコマンドを中継してテレビ１０１へ送信し、テレビ１０１はチャンネルを１ｃｈへ切り換える。こうして、テレビ１０１に対する遠隔操作が実行される。
【００３２】
このように、上記の実施形態によれば、各電気機器と携帯電話端末先端部を向ける方向とを任意に対応させた機器選択テーブルを用いて、携帯電話端末の方向情報のみから電気機器を選択することが可能である。このため、携帯電話端末の構成、及びシステム全体の構成を簡素化することができる。また、この方向情報は携帯電話端末単独で取得されて管理サーバに通知されるものであるため、電気機器の配置の影響（例えば、間に障害物がある等）を受けないというメリットがある。
【００３３】
なお、上記実施形態においては、電気機器はテレビとＤＶＤレコーダとエアコンの３種類であるが、この電気機器遠隔操作システムに適用可能な電気機器はこの３種類に限定されるものではなく、ホームサーバ（ビデオサーバ）、ＣＤ（Ｃｏｍｐａｃｔ  Ｄｉｓｃ）プレーヤ、ステレオ等のいわゆるＡＶ（Ａｕｄｉｏ  Ｖｉｓｕａｌ）機器、冷蔵庫、電子レンジ、ファクシミリ等のいわゆる家電製品等、ＬＡＮ接続可能なあらゆる電気製品からこのシステムを構築することができる。また、家庭内の機器だけでなく、例えば、自動車の車載機器のようなものも適用可能である。なお、このシステムに接続される電気機器の数は、この発明の本質と関係がない。さらに、上記実施形態の電気機器は、その内部に制御部と不揮発性メモリと有線ＬＡＮインタフェースを備えているが、このような内蔵型に代えて、外付けのアダプタとしてこれらの手段を後から追加するようにしてもよい。
【００３４】
また、携帯電話端末の代わりに、ＰＤＡ（個人用携帯情報端末）やＰＨＳ（Ｐｅｒｓｏｎａｌ  Ｈａｎｄｙｐｈｏｎｅ  Ｓｙｓｔｅｍ）のような情報端末、あるいはリモコン専用装置のようなものを使うこともできる。
【００３５】
また、上記実施形態においては、電気機器と管理サーバは有線ＬＡＮによって接続されているが、有線ＬＡＮに代えて無線ＬＡＮを用いることも可能である。逆に、携帯電話端末と管理サーバを、無線ＬＡＮではなくＵＳＢ（Ｕｎｉｖｅｒｓａｌ  Ｓｅｒｉａｌ  Ｂｕｓ）等の有線ケーブルで接続してもよい。また、この無線ＬＡＮの代わりに、ＢｌｕｅｔｏｏｔｈやＵＷＢ（Ｕｌｔｒａ  Ｗｉｄｅ  Ｂａｎｄ）のような短距離無線通信を利用することもできる。さらに、管理サーバと携帯電話端末との間については、可視光通信を使ってもよい。
【００３６】
また、このシステムで使われるコマンド情報はデータ容量が小さいため、上記実施形態ではその記憶装置として不揮発性メモリが好適であると考えているが、代わりにＨＤＤ（Ｈａｒｄ  Ｄｉｓｃ  Ｄｒｉｖｅ）を使用しても問題ない。
また、磁気センサの代わりに（あるいは併用して）、ジャイロセンサを用いることもでき、この場合ある基準方向に対する相対的な方向が検出される。さらに、加速度センサを使用すると、携帯電話端末先端部の向いている方向の鉛直成分が検出可能であり、上下方向の傾き角度を電気機器の選択に利用できるようにすることもできる。
また、表示部４３７は液晶ディスプレイに限られず、ＬＥＤ（発光ダイオード）ディスプレイや有機ＥＬ（Ｅｌｅｃｔｒｏ  Ｌｕｍｉｎｅｓｃｅｎｃｅ）ディスプレイ、プラズマディスプレイ等を用いてもよい。
【００３７】
また、上記実施形態では、機器選択テーブルにおける電気機器と方向情報との関連付けに、部屋の壁面（Ａ、Ｂ、Ｃ、Ｄ）を使っているが、関連付けはこの方法に限定されるものではなく、例えば、ユーザの正面方向を基準として、右、左、上、下のように相対的な方向を関連付けに使ってもよい。また、ユーザから見て実際にテレビ１０１、ＤＶＤレコーダ１０２、エアコン１０３が設置されている方向を関連付けに使ってもよい。
【産業上の利用可能性】
【００３８】
この発明は、複数の電気機器を１つのリモコンで操作可能なホームネットワークシステムに用いて好適である。
【図面の簡単な説明】
【００３９】
【図１】この発明の一実施形態による電気機器遠隔操作システムの構成を示すブロック図である。
【図２】図１における管理サーバの構成を示すブロック図である。
【図３】機器選択テーブルの一例を示す図である。
【図４】図１における携帯電話端末の構成を示すブロック図である。
【図５】図１における電気機器の構成を示すブロック図である。
【図６】図１の実施形態による電気機器遠隔操作システムの動作を示すフローチャートである。
【符号の説明】
【００４０】
１０１…テレビ  １０２…ＤＶＤレコーダ  １０３…エアコン  １１１…管理サーバ  １２１…携帯電話端末  ２０１…ＣＰＵ  ２０２…ＲＯＭ  ２０３…ＲＡＭ  ２１１…有線ＬＡＮインタフェース  ２１２…無線ＬＡＮインタフェース  ２２１…不揮発性メモリ  ２２１−１、２２１−２…記憶領域  ４２０…無線部  ４２１…アンテナ  ４２２…ＲＦ部  ４２３…変復調部  ４２４…ＣＤＭＡ部  ４２５…音声処理部  ４３１  マイクロホン  ４３２…スピーカ  ４３３…報知手段  ４３４…時計部  ４３５…主操作部  ４３６…電子撮像部  ４３７…表示部  ４３８…タッチパネル  ４３９…副操作部  ４５０…方向検出装置  ４５１−１〜３…磁気センサ  ４５２…温度センサ  ４５３…磁気センサ制御部  ４６１…ＣＰＵ  ４６２…ＲＯＭ  ４６３…ＲＡＭ  ４７１…無線ＬＡＮインタフェース  ５０１…制御部  ５０２…不揮発性メモリ  ５０３…有線ＬＡＮインタフェース  ５１１…テレビ機能部
【図１】
2006279424.tif 000003
【図２】
2006279424.tif 000004
【図３】
2006279424.tif 000005
【図４】
2006279424.tif 000006
【図５】
2006279424.tif 000007
【図６】
2006279424.tif 000008